(57)【要約】【課題】  ＤＶＤ−ＲやＤＶＤ−ＲＷ等の情報記録媒体に記録された実体情報の内容を、ユーザに対して短い時間で迅速に把握させることが可能な情報再生装置及び情報再生処理プログラム等を提供する。【解決手段】  音声情報と映像情報との少なくとも何れか一方が含まれた実体情報と、前記実体情報を管理するために用いられる管理情報と、が少なくとも記録された情報記録媒体からの前記管理情報を読み込む為の読み込み処理を行い、当該読み込み処理が終了した後に当該実体情報の再生処理を開始する制御手段を備える情報再生装置において、前記管理情報に含まれる前記実体情報に関するテキスト情報をユーザに提示する提示手段を備え、前記制御手段は、前記読み込み処理において、前記管理情報に含まれるテキスト情報の所定の記録位置から当該テキスト情報を読み込み、そして、前記読み込み処理が行なわれている間に、前記提示手段により当該テキスト情報をユーザに提示させる。【選択図】  図４
2006073097.tif 000002
【特許請求の範囲】
【請求項１】
音声情報と映像情報との少なくとも何れか一方が含まれた実体情報と、前記実体情報を管理するために用いられる管理情報と、が少なくとも記録された情報記録媒体からの前記管理情報を読み込む為の読み込み処理を行い、当該読み込み処理が終了した後に当該実体情報の再生処理を開始する制御手段を備える情報再生装置において、
前記管理情報に含まれる前記実体情報に関するテキスト情報をユーザに提示する提示手段を備え、
前記制御手段は、前記読み込み処理において、前記管理情報に含まれるテキスト情報の所定の記録位置から当該テキスト情報を読み込み、そして、前記読み込み処理が行なわれている間に、前記提示手段により当該テキスト情報をユーザに提示させることを特徴とする情報再生装置。
【請求項２】
請求項１に記載の情報再生装置において、
前記制御手段は、前記読み込み処理において、前記管理情報に含まれる他の情報よりも前記テキスト情報を優先的に読み込むことを特徴とする情報再生装置。
【請求項３】
請求項１又は２に記載の情報再生装置において、
前記実体情報は、複数に区別されて前記情報記録媒体に記録されており、前記テキスト情報は、前記実体情報毎に関連付けられて記録されていることを特徴とする情報再生装置。
【請求項４】
請求項３に記載の情報再生装置において、
前記実体情報毎に関連付けられた複数のテキスト情報が読み込まれた場合には、前記提示手段は、前記複数のテキスト情報をユーザにより選択可能に表示させることを特徴とする情報再生装置。
【請求項５】
請求項４に記載の情報再生装置において、
前記制御手段は、前記選択可能に表示された複数のテキスト情報のうちから何れかのテキスト情報の選択を受け付け、前記読み込み処理が終了した後に、当該選択されたテキスト情報に対応する実体情報の再生処理を開始することを特徴とする情報再生装置。
【請求項６】
請求項１乃至５の何れか一項に記載の情報再生装置において、
前記テキスト情報は、ユーザにより入力手段を介して入力され、前記実体情報に関連付けられて前記情報記録媒体に記録されることを特徴とする情報再生装置。
【請求項７】
請求項１乃至６の何れか一項に記載の情報再生装置において、
前記情報記録媒体は、当該情報再生装置に着脱可能のディスクであって、
前記読み込み処理は、前記ディスクが当該情報再生装置に装填された直後に行なわれる処理であることを特徴とする情報再生装置。
【請求項８】
音声情報と映像情報との少なくとも何れか一方が含まれた実体情報と、前記実体情報を管理するために用いられる管理情報と、が少なくとも記録された情報記録媒体からの前記管理情報を読み込む為の読み込み処理を行い、当該読み込み処理が終了した後に当該実体情報の再生処理を開始する情報再生方法において、
前記読み込み処理において、前記管理情報に含まれるテキスト情報の所定の記録位置から当該テキスト情報を読み込み、そして、前記読み込み処理が行なわれている間に、前記提示手段により当該テキスト情報をユーザに提示することを特徴とする情報再生方法。
【請求項９】
音声情報と映像情報との少なくとも何れか一方が含まれた実体情報と、前記実体情報を管理するために用いられる管理情報と、が少なくとも記録された情報記録媒体からの前記管理情報を読み込む為の読み込み処理を行い、当該読み込み処理が終了した後に当該実体情報の再生処理を開始するコンピュータを、
前記読み込み処理において、前記管理情報に含まれるテキスト情報の所定の記録位置から当該テキスト情報を読み込み、そして、前記読み込み処理が行なわれている間に、前記提示手段により当該テキスト情報をユーザに提示させるように機能させることを特徴とする情報再生処理プログラム。
【請求項１０】
請求項９に記載の情報再生処理プログラムがコンピュータ読み取り可能に記録されていることを特徴とする記録媒体。
【発明の詳細な説明】
【技術分野】
【０００１】
音声情報と映像情報との少なくとも何れか一方が含まれた実体情報と、前記実体情報を管理するために用いられる管理情報と、が少なくとも記録された情報記録媒体からの前記管理情報の読み込み処理を行い、当該読み込み処理が終了した後に当該実体情報の再生処理を開始する情報再生装置等の技術分野に関する。
【背景技術】
【０００２】
近年、ＤＶＤ（Digital Versatile Disc）−Ｖｉｄｅｏ（ＤＶＤ−Ｖｉｄｅｏ規格に準拠したＤＶＤ）から映画等の映像情報や音声情報を再生する情報再生装置が普及している。このような情報再生装置においては、例えば、特許文献１に開示されるように、ユーザが操作項目（本編再生、チャプター選択、字幕言語設定等）を選択するためのメニューをモニタ上に表示することが可能になっている。
【０００３】
このようなメニューは、設定により、ＤＶＤ−Ｖｉｄｅｏが情報再生装置に装填され所定の管理情報等を読み込むための読み込み処理が終了した後に、モニタに表示されるようになっており、ユーザは、ＤＶＤ−Ｖｉｄｅｏに記録された情報の内容を把握するためにも有効である。
【０００４】
ところで、近年、例えばテレビジョン放送された番組の映像情報や音声情報等の実体情報を、ユーザが任意に記録可能なＤＶＤ−Ｒ（Recordable）やＤＶＤ−ＲＷ（ReWritable）等、及び当該ＤＶＤ−ＲやＤＶＤ−ＲＷ等に情報を記録、再生可能な情報記録再生装置が普及し始めている。このような情報記録再生装置は、上記メニューや、ＤＶＤ−ＲやＤＶＤ−ＲＷ等へ記録された実体情報の内容を示す録画リストを表示することが可能になっており、ユーザは、表示された上記メニューや録画リストにより、ＤＶＤ−ＲやＤＶＤ−ＲＷ等へ記録された実体情報の内容を把握することができる。
【特許文献１】特開２００２−２３０８９１号公報
【発明の開示】
【発明が解決しようとする課題】
【０００５】
ところで、ＤＶＤ−Ｖｉｄｅｏが情報再生装置に装填された後、管理情報等を読み込むための読み込み処理が終了し、上記メニューが表示されるまでの時間（言い換えれば、記録された実体情報の再生開始に至るまでの時間）は、数秒と比較的短い。これは、ＤＶＤ−Ｖｉｄｅｏ規格に準拠した論理データ構造によるものであり、ＤＶＤ−Ｖｉｄｅｏでは管理情報（ＶＭＧ（Video Manager））がディスクの内周側に記録されていることが分かっていることから、情報再生装置に装填されてからその管理情報の記録位置を短時間でサーチできるため、上記読み込み処理に時間がかからず、よって、メニューが表示されるまでの時間が比較的短くなる。これに対して、例えば、ＤＶＤ−ＲやＤＶＤ−ＲＷが情報記録再生装置に装填された後、管理情報等を読み込むための読み込み処理が終了し、上記メニューや録画リストが表示されるまでの時間は、数十秒もかかり長い。ＤＶＤ−ＲやＤＶＤ−ＲＷの論理データ構造は複数存在し、その論理データ構造によっては管理情報がディスクの内周側に記録されていないものも存在する。そのような多種の論理データ構造が存在するＤＶＤ−ＲやＤＶＤ−ＲＷでは、情報記録再生装置に装填されてから管理情報の記録位置をサーチするまでに時間がかかるため、上記読み込み処理に時間がかかる。よって、上記メニューや録画リストが表示されるまでの時間が比較的長くなる。従って、ユーザが、例えばＤＶＤ−ＲやＤＶＤ−ＲＷに記録された実体情報の内容を忘れてしまった場合等に当該内容を把握するためには、情報記録再生装置にＤＶＤ−ＲやＤＶＤ−ＲＷを装填してから上記メニューや録画リストが表示されるまでの長い時間、或いは上記メニューや録画リストがない場合には上記実体情報が再生されるまでの長い時間、待たなければならないという不都合があった。
【０００６】
そこで、本発明は、このような不都合の解消を一つの課題とし、ＤＶＤ−ＲやＤＶＤ−ＲＷ等の情報記録媒体に記録された実体情報の内容を、ユーザに対して短い時間で迅速に把握させることが可能な情報再生装置及び情報再生処理プログラム等を提供することを目的する。
【課題を解決するための手段】
【０００７】
上記課題を解決するため、請求項１に記載の発明は、音声情報と映像情報との少なくとも何れか一方が含まれた実体情報と、前記実体情報を管理するために用いられる管理情報と、が少なくとも記録された情報記録媒体からの前記管理情報を読み込む為の読み込み処理を行い、当該読み込み処理が終了した後に当該実体情報の再生処理を開始する制御手段を備える情報再生装置において、前記管理情報に含まれる前記実体情報に関するテキスト情報をユーザに提示する提示手段を備え、前記制御手段は、前記読み込み処理において、前記管理情報に含まれるテキスト情報の所定の記録位置から当該テキスト情報を読み込み、そして、前記読み込み処理が行なわれている間に、前記提示手段により当該テキスト情報をユーザに提示させることを特徴とする。
【０００８】
請求項８に記載の発明は、音声情報と映像情報との少なくとも何れか一方が含まれた実体情報と、前記実体情報を管理するために用いられる管理情報と、が少なくとも記録された情報記録媒体からの前記管理情報を読み込む為の読み込み処理を行い、当該読み込み処理が終了した後に当該実体情報の再生処理を開始する情報再生方法において、前記読み込み処理において、前記管理情報に含まれるテキスト情報の所定の記録位置から当該テキスト情報を読み込み、そして、前記読み込み処理が行なわれている間に、前記提示手段により当該テキスト情報をユーザに提示することを特徴とする。
【０００９】
請求項９に記載の情報再生処理プログラムは、音声情報と映像情報との少なくとも何れか一方が含まれた実体情報と、前記実体情報を管理するために用いられる管理情報と、が少なくとも記録された情報記録媒体からの前記管理情報を読み込む為の読み込み処理を行い、当該読み込み処理が終了した後に当該実体情報の再生処理を開始するコンピュータを、前記読み込み処理において、前記管理情報に含まれるテキスト情報の所定の記録位置から当該テキスト情報を読み込み、そして、前記読み込み処理が行なわれている間に、前記提示手段により当該テキスト情報をユーザに提示させるように機能させることを特徴とする。
【００１０】
請求項１０に記載の記録媒体は、請求項９に記載の情報再生処理プログラムがコンピュータ読み取り可能に記録されていることを特徴とする。
【発明を実施するための最良の形態】
【００１１】
以下、本願の最良の実施形態を添付図面に基づいて説明する。なお、以下に説明する実施の形態は、ＤＶＤ−Ｒ（ＤＶＤ−ＲＷでもよい）等の情報記録媒体に対して情報の記録再生を行う情報記録再生装置に対して本願を適用した場合の実施形態である。
【００１２】
先ず、図１及び図２を参照して、ＤＶＤ−Ｒにおける論理データ構造（フォーマット）について説明する。なお、本実施形態において、ＤＶＤ−Ｒにおける論理データ構造は、ＤＶＤ−ＶＲ規格（Video Recording）に準じているものとする。
【００１３】
図１は、ＤＶＤ−Ｒにおけるディレクトリ構造を示す図である。図２は、ＲＴＲＷ管理ファイルにおけるデータ構造を示す図である。
【００１４】
図１に示すように、ＤＶＤ−Ｒ５０には、最内周にリードイン領域５１が、最外周にリードアウト領域５３が、その間にデータ領域５２が、夫々配置されている。リードイン領域５１は、ピックアップの読み取り時においてサーボを安定させるために必要な基準信号や識別情報などの管理情報が記録される。データ領域５２の先頭にはボリューム情報と呼ばれるファイルシステム用の管理情報が記録される。ファイルシステムを通すことで、図１に示すように、ＤＶＤ−Ｒ５０上に記録された情報がディレクトリやファイルとして扱うことが可能になる。
【００１５】
ＤＶＤ−ＶＲ規格では、ルートディレクトリの下にＤＶＤ_ＲＴＡＶ(Real Time AV)ディレクトリ５５が置かれ、その下に、１つのＲＴＲＷ管理ファイル５６と、１つ又は複数のＡＶファイル５７とが存在する。１つのＡＶファイル５７は、１つ又は複数のＶＯＢ（Video Object）で構成され、１つのＶＯＢは、１つ又は複数のＶＯＢＵ（Video Object Unit）で構成され、１つのＶＯＢＵは、複数のパックから夫々構成される。複数のパックとしては、ＲＤＩパック、Ｖ（Video）パック、Ａ（Audio）パック、ＳＰ（Sub-picture）パックが存在する。
【００１６】
ＲＤＩパックには、これが属するＶＯＢＵの最初のフィールドが再生される開始時間を示す情報、当該ＶＯＢＵの記録時を示す情報、ディスプレイ制御情報（ＤＣＩ）及びコピーコントロール情報（ＣＣＩ）等を含む。
【００１７】
Ｖパックは、実体情報としての映像情報（ビデオデータ）がＭＰＥＧ２等の方式でエンコード（圧縮等）されたものである。Ａパックは、実体情報としての音声情報（オーディオデータ）が、例えばリニアＰＣＭあるいはＭＰＥＧあるいはＡＣ−３などの方式でエンコードされたものである。ＳＰパックは、メニュー画面等の副映像情報（サブピクチャパック）がエンコードされたものである。
【００１８】
また、ＲＴＲＷ管理ファイル５６には、映像情報及び音声情報等の実体情報を管理するために用いられる管理情報の一例としてのＲＴＲ_ＶＭＧ（Real Time Recording Video Manager）が格納されるようになっており、具体的には、ＲＴＲ_ＶＭＧは、図２に示すように、ＲＴＲ_ＶＭＧＩ(RTR_VMG Information)と、動画に関連する管理情報が記述されるＭ_ＡＶＦＩＴ(Movie AV File Information Table)と、静止画に関連する管理情報が記述されるＳ_ＡＶＦＩＴ(Still Picture AV File Information Table)と、ＯＲＧ_ＰＧＣＩ(Original PGC Information)と、ＵＤ_ＰＧＣＩＴ(User Defined PGC Information Table)と、ＴＸＴＤＴ_ＭＧ(Text Data Manager)と、製造者に関する情報が記述されるＭＮＦＩＴ(Manufacturer’s Information Table)とから構成される。
【００１９】
ＲＴＲ_ＶＭＧＩは、ＶＭＧＩ_ＭＡＴ(VMGI Management Table)と、ＰＬ_ＳＲＰＴ(Play List Search Pointer Table)と、から構成され、ＰＬ_ＳＲＰＴは、ＰＬ_ＳＲＰＴＩ（Play List Search Pointer Table Information）と、１つ又は複数のＰＬ_ＳＲＰ#1〜#nから構成される。そして、ＰＬ_ＳＲＰ#1〜#n （例えば、番組毎に分かれている）には、夫々、実体情報に関するテキスト情報（例えば、番組タイトルや概要、チャプタータイトルや概要、記録（録画）日時等）がＰＲＭ_ＴＸＴＩ（Primary Text Information）として記述される（つまり、当該テキスト情報は、実体情報毎（例えば、番組毎）に関連付けられて記録されている）。その他、ＲＴＲ_ＶＭＧＩには、コピープロテクション情報や、各情報のエントリーアドレス等の管理情報が記述される。なお、ＴＸＴＤＴ_ＭＧには、ＰＲＭ_ＴＸＴＩのサブ情報が記述される。
【００２０】
Ｍ_ＡＶＦＩＴは、図２に示すように、ＶＯＢ_ＳＴＩＴ(VOB Stream Attribute Information Table)と、ＶＯＢＩＴ（VOB Information Table）とから構成され、ＶＯＢ_ＳＴＩＴには、ビデオ属性情報、オーディオ属性情報、サブピクチャ属性情報、オーディオストリーム数、副映像ストリーム数等が含まれる。なお、ビデオ属性情報には、圧縮モード、ライン情報の有無、アスペクト情報、解像度等が含まれる。また、オーディオ属性情報には、コーディングモード情報、量子化情報、チャンネル数情報、ビットレート情報等が含まれる。
【００２１】
ＯＲＧ_ＰＧＣＩ及びＵＤ_ＰＧＣＩＴにおける「ＰＧＣ」とは、上記ＶＯＢ内の任意の部分区間（または全区間）を一つの論理再生単位とするＣｅｌｌ（セル）の再生順序を定義するものである（言い換えれば、ＰＣＧは、再生を行うための１つの単位であり、例えば、当該１つの単位が１つのチャプターを構成する）。ＯＲＧ_ＰＧＣＩには、通常記録時における再生順序を示す情報が記述され、ＵＤ_ＰＧＣＩＴには、ユーザが定義（記録後のユーザ操作による編集（削除、追加、間引き）に基づく）した再生順序を示す情報が記述される。例えば、ＯＲＧ_ＰＧＣＩは、ＰＧＣ_ＧＩ（General Information）と、ＰＧＩ#1〜#nと、ＣＩ（Cell Information）_ＳＲＰ（Search Pointer）#1〜#n と、ＣＩ（Cell Information）#1〜#n とから構成される。そして、ＰＧＩ#1〜#nは、夫々、上記ＰＬ_ＳＲＰ#1〜#nと同様、実体情報に関するテキスト情報がＰＲＭ_ＴＸＴＩとして記述される。なお、ＣＩ#1〜#nには、夫々、そのＣｅｌｌに対応するＶＯＢのＶＯＢＩへのサーチポインタと、Ｃｅｌｌの再生開始時刻、Ｃｅｌｌの再生終了時刻、Ｃｅｌｌのエントリポイント情報の数が含まれる。
【００２２】
次に、図３を参照して、上記ＤＶＤ−Ｒ５０等に対して情報の記録及び再生を行うＤＶＤ記録再生装置の構成及び機能について説明する。
【００２３】
図３は、本実施形態における情報記録再生装置の概要構成例を示す図である。
【００２４】
図３に示すように、情報記録再生装置Ｓは、ピックアップ１と、スピンドルモータ２と、サーボ回路３と、記録信号処理部４と、マルチプレクサ５と、ビデオエンコーダ６と、オーディオエンコーダ７と、再生信号処理部８と、デマルチプレクサ９と、ビデオデコーダ１０と、オーディオデコーダ１１と、制御手段としてのシステムコントローラ１２と、記憶部（例えば、ＥＥＰＲＯＭ等の不揮発性メモリやハードディスクドライブ等）１３と、入力手段としての操作部１４と、を備えて構成されている。
【００２５】
そして、システムコントローラ１２は、演算機能を有するＣＰＵ、各種データ及びプログラムを記憶するＲＯＭ、及び作業用ＲＡＭ等を備えており、ＣＰＵが例えばＲＯＭに記憶されたプログラム（本願の情報再生処理プログラムを含む）を実行することにより、システムコントローラ１２は、操作部１４からの操作信号に従って、情報記録再生装置Ｓにおける上記各構成要素を制御しつつ、ＤＶＤ−Ｒ５０等への情報の記録処理、及びＤＶＤ−Ｒ５０等からの情報の再生処理等を行うようになっている。
【００２６】
ピックアップ１は、ＤＶＤ−Ｒ５０に対して光ビームを照射して情報を記録し、また、ＤＶＤ−Ｒ５０に対して光ビームを照射し、その反射光に基づいて情報を読み出すようになっている。また、ピックアップ１は、図示しない対物レンズを光軸方向に移動させるフォーカシング部分と、当該対物レンズを光軸に垂直なディスク半径方向に移動させるトラッキング部分とからなるアクチュエータが備えられている。
【００２７】
スピンドルモータ２は、図示しないターンテーブル上における所定のクランプ位置に載置されたＤＶＤ−Ｒ５０等を一定の線速度（又は角速度）で回転させるようになっている。
【００２８】
サーボ回路３は、システムコントローラ１２からの制御信号に基づき、スピンドルモータ２及びピックアップ１をサーボ制御、即ち、ＤＶＤ−Ｒ５０の回転速度、ピックアップ１の移動速度、情報トラック位置、及び集光レンズのフォーカス等を、閉回路ループを形成することにより制御するようになっている。
【００２９】
ＤＶＤ−Ｒ５０に情報が記録される場合には、ＤＶＤ−Ｒ５０等のデータ領域５２に記録すべき実体情報としての映像情報は、外部（例えば、テレビチューナやビデオカメラ等）から入力された後、ビデオエンコーダ６に入力される。そして、ビデオエンコーダ６は、システムコントローラ１２からの制御信号に基づき、上記映像情報に対して、予め設定されたエンコード処理（例えば、圧縮処理、暗号化処理等）を施し、当該映像情報に対応する映像信号を生成してマルチプレクサ５へ出力する。
【００３０】
また、ＤＶＤ−Ｒ５０等のデータ領域５２に記録すべき実体情報としての音声情報は、外部（例えば、テレビチューナやマイクロフォン等）から入力された後、オーディオエンコーダ６に入力される。そして、オーディオエンコーダ６は、システムコントローラ１２からの制御信号に基づき、上記音声情報に対して、予め設定されたエンコード処理を施し、当該音声情報に対応する音声信号を生成してマルチプレクサ５へ出力する。
【００３１】
そして、マルチプレクサ５は、上記映像信号と音声信号とを予め設定された処理により重畳し（マルチプレクスし）、重畳信号を生成し、これを記録信号処理部４へ出力する。記録信号処理部４は、システムコントローラ１２からの制御信号に基づき、上記重畳信号と、システムコントローラ１２からのナビゲーション信号とを上述した論理データ構造となるように組み合わせた後、当該信号に対して予め設定された変調処理（例えば、８−１６変調処理）を施し、当該変調信号を生成してピックアップ１に出力する。
【００３２】
これにより、ピックアップ１は、変調信号により強度変調された光ビームを生成し、これをＤＶＤ−Ｒ５０等の図示しない情報記録面内の情報トラックに照射することで当該変調信号に含まれている情報に対応するピットを当該情報トラック上に形成することによって記録する。
【００３３】
また、操作部１４は、各種操作ボタンを備えており、ユーザによる操作に対応する操作信号を生成してシステムコントローラ１２５へ出力するようになっている。そして、ユーザは、公知のプレイリストと呼ばれる機能により、ＤＶＤ−Ｒ５０に記録された実体情報の編集を、操作部１４を操作して行うことができる。例えば、記録された複数の番組（又は、チャプター）に係る実体情報の再生順序を入れ替えたり、１つの番組に係る実体情報を複数のチャプターに分割したりすることができ、このように編集された内容は、上述したＵＤ_ＰＧＣＩに定義される。
【００３４】
また、ユーザは、操作部１２を操作して、例えば、記録された番組（又は、チャプター）に係る実体情報に関するテキスト情報（例えば、番組タイトルや概要、チャプタータイトルや概要等）を入力し、各番組毎に付与することができる。このように入力された実体情報に関するテキスト情報は、上述したように、ＲＴＲ_ＶＭＧＩにおけるＰＬ_ＳＲＰ#1〜#nや、ＯＲＧ_ＰＧＣＩ及びＵＤ_ＰＧＣＩにおけるＰＬ_ＳＲＰ#1〜#nに記述されることになる。ユーザにより、テキスト情報が入力されない場合には、ＲＴＲ_ＶＭＧＩにおけるＰＬ_ＳＲＰ#1〜#n等には、デフォルト設定として、例えば記録（録画）日時が記述される。
【００３５】
なお、例えば、テレビチューナにより受信された放送番組に係る実体情報に当該番組のタイトルや概要等の文字情報が付加されていた場合には、システムコントローラ１２がこれを実体情報に関するテキスト情報として取得して、上記ＲＴＲ_ＶＭＧＩにおけるＰＬ_ＳＲＰ#1〜#nや、ＯＲＧ_ＰＧＣＩ及びＵＤ_ＰＧＣＩにおけるＰＬ_ＳＲＰ#1〜#nに記述させるように構成してもよい。
【００３６】
一方、ＤＶＤ−Ｒ５０から情報が再生される場合には、システムコントローラ１２の制御の下、ピックアップ１は、一定強度の再生用の光ビームを生成して上記ピットが形成されている情報トラックに照射し、その反射光に基づいて、記録されている情報を読み出し、その検出信号を再生信号処理部８に出力する。
【００３７】
再生信号処理部８は、上記検出信号に対して予め設定された復調処理（例えば、８−１６復調処理）及びエラー訂正処理等を施し、その復調信号をデマルチプレクサ９へ出力する。
【００３８】
デマルチプレクサ９は、上記復調信号に含まれるＲＤＩパック、Ｖパック、Ａパック、ＳＰパックを分離し、ＲＤＩパックをシステムコントローラ１２に、Ｖパック及びＳＰパックをビデオデコーダ１０に、Ａパックをオーディオデコーダ１１に、夫々出力する。
【００３９】
ビデオデコーダ１０は、システムコントローラ１２からの制御信号に基づき、Ｖパック及びＳＰパックに対して、予め設定されたデコード処理（例えば、復号化処理、伸張処理等）を施し、映像情報及び副映像情報を抽出して外部の図示しないモニタ等に出力する。
【００４０】
また、オーディオデコーダ１１は、システムコントローラ１２からの制御信号に基づき、Ａパックに対して、予め設定されたデコード処理（例えば、復号化処理、伸張処理等）を施し、音声情報を抽出して外部の図示しないアンプ等に出力する。
【００４１】
このような情報再生に当たり、システムコントローラ１２は、ピックアップ１及び再生信号処理部８を介して、上述した管理情報としてのＲＴＲ_ＶＭＧ等を読み込むためのＤＶＤ−Ｒ５０等からの読み込み処理を行い、当該読み込み処理が終了した後（つまり、読み込み処理が正常に終了した後）に上記実体情報の再生処理を開始するようになっている。この再生処理の開始により、例えば、ＤＶＤ−Ｒ５０又は再生信号処理部８のバッファメモリから実体情報が読み出され、デマルチプレクサ９、ビデオデコーダ１０、及びオーディオデコーダ１１等を介して外部に出力されることになる。
【００４２】
なお、上記読み込み処理は、例えば、ＤＶＤ−Ｒ５０が当該情報記録再生装置Ｓに装填（例えば、トレイに載置され、当該装置Ｓ内に挿入され、所定の読み取り位置に装填）された直後に行なわれ、当該読み込み処理においては、例えば、まず、装填されたＤＶＤ−Ｒ５０の判別（ＤＶＤ−ＲかＤＶＤ−ＲＷかの判別）を行い、次にそのＤＶＤ−Ｒ５０が所定の規格（ＤＶＤ−ＶＲ規格）に準拠しているかや、再生又は記録可能であるか等の確認処理を行い、それらの確認が終了した後に管理情報としてのＲＴＲ_ＶＭＧ等の記録位置にサーチしてその読み込みが行われ、再生処理の開始に当たって必要な初期設定処理等が行われる。このような読み込み処理では、ＤＶＤ−Ｒ５０と判別されると、次に論理データ構造等の判別が行なわれてから管理情報へのサーチ、及び管理情報の読み込みが行われる。よって、ＤＶＤ−Ｖｉｄｅｏと比較しても、管理情報の記録位置を確定するために論理データ構造等の判別処理が必要となるため、ＤＶＤ−Ｒ５０が装填されてから管理情報の記録位置をサーチするまでに時間がかかることとなる。
【００４３】
そして、システムコントローラ１２は、上記読み込み処理において、管理情報としてのＲＴＲ_ＶＭＧ等に含まれるテキスト情報（ＰＲＭ_ＴＸＴＩ）の上述した所定の記録位置から当該テキスト情報を読み込み、そして、上記読み込み処理が行なわれている間に、提示手段として、当該テキスト情報をユーザに提示する（例えば、当該テキスト情報を、外部のモニタ等に表示させる）ようになっている。
【００４４】
これにより、ユーザは、当該ＤＶＤ−Ｒ５０から実体情報の再生が開始される前に、当該ＤＶＤ−Ｒ５０には、何が記録されているかを、提示されたテキスト情報（例えば、番組タイトルや概要、チャプタータイトルや概要等）により、直ちに（迅速に）把握することができる。
【００４５】
次に、図４を参照して、管理情報の読み込み処理の詳細について説明する。
【００４６】
図４は、システムコントローラ１２により行われる管理情報の読み込み処理を示すフローチャートである。
【００４７】
先ず、ＤＶＤ−Ｒ５０が情報記録再生装置Ｓに装填されると、システムコントローラ１２は、読み込み処理を開始して、物理的な記録メディアの判別、論理データ構造の判別等を行った後管理情報の記録位置をサーチする。そして、図４に示す管理情報の読み込みを開始し、ピックアップ１及び再生信号処理部８を制御して、上述したＲＴＲ_ＶＭＧ等の管理情報を読み込む（ステップＳ１）。なお、当該読み込みにおいて、ＲＴＲ_ＶＭＧ等に含まれる他の情報よりもテキスト情報を優先的に読み込む（つまり、上記ＰＬ_ＳＲＰ#1〜#nやＰＧＩ#1〜#nの記録位置（アドレス）から優先的にテキスト情報を読み込む）ように構成すればより効果的である。
【００４８】
次いで、システムコントローラ１２は、上記実体情報に関するテキスト情報（ＰＲＭ_ＴＸＴＩ）が読み込まれた否かを判断し（ステップＳ２）場合には（ステップＳ２：Ｙ）、当該読み込まれたテキスト情報を、ビデオデコーダ１０を介して、外部の図示しないモニタ等に出力し表示させる（ステップＳ３）。
【００４９】
図５は、ＰＬ_ＳＲＰ#1〜#4から読み取られたテキスト情報がモニタ上に表示される様子を示す概念図である。図５に示すように、ＲＴＲ_ＶＭＧＩにおけるＰＬ_ＳＲＰ#1〜#4には、夫々、ＰＲＭ_ＴＸＴＩとして「○○クッキング」、「□□ニュース」、「△△スポーツ」、「×年×月×日  ×時×分」が記述されており、これらのＰＲＭ_ＴＸＴＩが読み込まれて、モニタ上に表示される。ここで、「○○クッキング」、「□□ニュース」、及び「△△スポーツ」は、ユーザ等により入力された番組のタイトルであるが、「×年×月×日  ×時×分」は、デフォルト設定された記録（録画）日時である。なお、このデフォルトは情報記録再生装置Ｓにて独自に設定されるデフォルトであり、所定の規格に準拠して設定されるものではない。
【００５０】
次いで、システムコントローラ１２は、操作部１４からＤＶＤ−Ｒ５０の排出指令（例えば、ユーザが、モニタ上に表示されたテキスト情報を見て所望のＤＶＤ−Ｒ５０でないと判断することにより当該排出指令を入力する）を示す信号の入力が有ったか否かを判別し（ステップＳ４）、当該信号入力が有った場合には（ステップＳ４：Ｙ）、当該処理を終了（他のＤＶＤ−Ｒ５０が装填された場合、上記処理が開始することになる）し、当該信号入力が無い場合には（ステップＳ４：Ｎ）、ステップＳ５に移行する。
【００５１】
ステップＳ５では、再生処理の開始に当たって必要なＲＴＲ_ＶＭＧ等の管理情報等の読み込みが正常に終了したかを判断し、終了していない場合には（ステップＳ５：Ｎ）、ステップＳ１に戻り、上述したＲＴＲ_ＶＭＧ等の管理情報等の読み込みを継続する。なお、ここで、実体情報の一部を読み込み、再生信号処理部８のバッファメモリに蓄えておくようにしてもよい。
【００５２】
一方、管理情報の読み込みが終了した場合には（ステップＳ５：Ｙ）、当該読み込みを終了し、上記実体情報の再生処理に移行（開始）する（ステップＳ６）。
【００５３】
以上説明したように、上記実施形態によれば、ＤＶＤ−Ｒ５０が情報記録再生装置Ｓに装填された後、管理情報等を読み込むための読み込み処理が終了するまでの間に、テキスト情報を読み込み、読み込み処理が行なわれている間に、当該テキスト情報を直ちにモニタ上に表示して、ユーザに提示するようにしたので、ユーザは、ＤＶＤ−Ｒ５０に記録された実体情報の内容をＤＶＤ−Ｒ５０が装填されてから比較的短い時間で迅速に把握することができる。
【００５４】
特に、記録された実体情報の内容が不明な複数のＤＶＤ−Ｒ５０があり、その中から、ユーザが所望の実体情報（例えば、番組）が記録されたＤＶＤ−Ｒ５０を探す場合に、ＤＶＤ−Ｒ５０の装填後、ユーザは、読み込み処理の終了を待たずに、記録された実体情報の内容を把握できるので、より効率的に所望のＤＶＤ−Ｒ５０を探し出すことができる。
【００５５】
なお、上記図４に示すステップＳ３において、システムコントローラ１２は、実体情報毎に関連付けられた複数のテキスト情報が読み込まれた場合に、当該複数のテキスト情報をユーザにより選択可能に表示させ、そのうちから何れかのテキスト情報の選択を操作部１４を介して受け付け、上記読み込み処理が終了した後に、当該選択されたテキスト情報に対応する実体情報の再生処理を開始するように構成してもよい。例えば、図５に示すように、「○○クッキング」、「□□ニュース」、「△△スポーツ」、及び「×年×月×日×時×分」をモニタ上に表示させると共に、これらのテキスト情報を選択するためのカーソルを表示させ、ユーザが操作部１４を操作して所望のテキスト情報（例えば、「□□ニュース」）をカーソルにて選択して実行すると、システムコントローラ１２は、当該テキスト情報の選択を受け付け、上記読み込み処理が終了した後に、当該選択されたテキスト情報（例えば、「□□ニュース」）に対応する実体情報の再生処理を開始することになる。このように構成すれば、ＤＶＤ−Ｒ５０に記録された実体情報の内容を短い時間で迅速に把握することができると共に、所望の実体情報の再生を迅速に行うことができる。
【００５６】
また、上記実施形態においては、情報記録媒体の一例として、ＤＶＤ−Ｒを例にとって説明したが、これに限定されるものではなく、例えば、ＤＶＤ−ＲＷ、ＤＶＤ−ＲＡＭ等に対しても本願は適用可能である。
【図面の簡単な説明】
【００５７】
【図１】ＤＶＤ−Ｒにおけるディレクトリ構造を示す図である。
【図２】ＲＴＲＷ管理ファイルにおけるデータ構造を示す図である。
【図３】本実施形態における情報記録再生装置の概要構成例を示す図である。
【図４】システムコントローラ１２により行われる管理情報の読み込み処理を示すフローチャートである。
【図５】ＰＬ_ＳＲＰ#1〜#4から読み取られたテキスト情報がモニタ上に表示される様子を示す概念図である。
【符号の説明】
【００５８】
１  ピックアップ
２  スピンドルモータ
３  サーボ回路
４  記録信号処理部
５  マルチプレクサ
６  ビデオエンコーダ
７  オーディオエンコーダ
８  再生信号処理部
９  デマルチプレクサ
１０  ビデオデコーダ
１１  オーディオデコーダ
１２  システムコントローラ
１３  記憶部
１４  操作部
Ｓ  情報記録再生装置
【図１】
2006073097.tif 000003
【図２】
2006073097.tif 000004
【図３】
2006073097.tif 000005
【図４】
2006073097.tif 000006
【図５】
2006073097.tif 000007